(57)【要約】【課題】  顔認証方式を他の照合情報と組み合わせることにより、確実に認証を行うことができる認証システム及びこの認証システムに用いられるコンピュータ読み取り可能な記憶媒体を提供すること。【解決手段】  機器使用を許可されているユーザの顔情報が予め登録されている顔登録辞書１６、機器使用対象者により入力される照合情報に基づき、この照合情報に対応する前記ユーザを特定するユーザ特定辞書１７を用意しておく。機器使用対象者が照合情報を入力すると、ユーザ特定辞書１７によりユーザを特定し、この特定されたユーザの顔情報を前記顔登録辞書１６から読み出す。そして、この顔情報と、カメラ１１から得られた画像情報とを認証処理手段１８によって照合し、認証結果が予め設定した認証閾値以上であれば機器使用を許可している。【選択図】図１
2005115486.tif 000002
【特許請求の範囲】
【請求項１】
機器の使用対象者が、予め使用を許可されているユーザかを認証する認証システムであって、
前記使用を許可されているユーザの顔情報が予め登録されている顔登録辞書と、
前記機器使用対象者の顔を撮影し画像情報を得るカメラと、
前記機器使用対象者により入力される照合情報に基づき、この照合情報に対応する前記ユーザを特定するためのユーザ特定辞書と、
このユーザ特定辞書により前記照合情報から特定されたユーザの顔情報を前記顔登録辞書から読み出し、この顔情報を前記カメラから得られた画像情報と照合する認証処理手段と、
この認証処理手段による認証結果が予め設定した認証閾値以上であれば機器使用を許可する許可手段と、
を備えたことを特徴とする認証システム。
【請求項２】
使用対象者により入力される照合情報は、使用対象者が予め任意に設定可能な第１の照合情報と、使用対象者に固有の第２の照合情報であることを特徴とする請求項１に記載の認証システム。
【請求項３】
機器の使用対象者が、予め使用を許可されているユーザかを認証する認証システムに用いられるコンピュータ読み取り可能な記憶媒体であって、
前記認証システムを構成するコンピュータが、
前記機器使用対象者により入力される照合情報に基づき、この照合情報に対応する前記ユーザを特定するユーザ特定辞書を用いて、前記照合情報からユーザを特定し、
この特定されたユーザの顔情報を前記使用を許可されているユーザの顔情報が予め登録されている前記顔登録辞書から読み出し、この顔情報を、前記機器使用対象者の顔を撮影するカメラから得られた画像情報と照合し、
その認証結果が予め設定した認証閾値以上であれば機器使用を許可する
プログラムを記憶したコンピュータ読み取り可能な記憶媒体。
【発明の詳細な説明】
【技術分野】
【０００１】
本発明は、機器の使用対象者が、予め使用を許可されているユーザかを認証する認証システム及びこの認証システムに用いられるコンピュータ読み取り可能な記憶媒体に関する。
【背景技術】
【０００２】
一般に、計算機システムなど、機密性の高い情報を有する機器の使用に当っては、セキュリティの面から予め特定したユーザにのみ使用許可を与えるようにしている。この場合、機器を使用しようとするもの（以下、使用対象者）が、使用許可されているユーザか否かを認証する認証システムが必要となる。この種の認証システムについては、従来から各種の認証方式が提案され、実現されている（例えば、特許文献１参照）。
【０００３】
これまで、計算機システムにおけるログオン時の認証方式としては、パスワードによるものが一般的であった。しかし、パスワード方式では、パスワードを盗まれてしまったり、簡単なパスワード（本人の名前や、生年月日など）を設定した場合は簡単に破られてしまうという問題があった。
【０００４】
そこで他の方式として、認証対象者の顔の画像情報を登録しておき、認証時にカメラで撮影された顔の画像情報と照合して、登録してあるものかどうかを認証する、いわゆる顔認証方式が採用されるようになってきた。しかし、この顔認証の場合、顔の撮影環境によって画像情報が変化するため、認証率を上げようとして認証閾値を低く設定すると、他人を本人と認証する、いわゆる他人受理を行う可能性があり、使用環境によってはセキュリティ上、若干の問題があった。
【特許文献１】特開２００２−５５９５６号公報
【発明の開示】
【発明が解決しようとする課題】
【０００５】
このように、従来から各種の認証方式があるが、それぞれ若干の問題を抱えており、より一層の改善が望まれていた。
【０００６】
本発明の目的は、顔認証方式を他の照合情報と組み合わせることにより、確実に認証を行うことができる認証システム及びこの認証システムに用いられるコンピュータ読み取り可能な記憶媒体を提供することにある。
【課題を解決するための手段】
【０００７】
本発明の認証システムは、機器の使用対象者が、予め使用を許可されているユーザかを認証する認証システムであって、前記使用を許可されているユーザの顔情報が予め登録されている顔登録辞書と、前記機器使用対象者の顔を撮影し画像情報を得るカメラと、前記使用対象者により入力される照合情報に基づき、この照合情報に対応する前記ユーザを特定するためのユーザ特定辞書と、このユーザ特定辞書により前記照合情報から特定されたユーザの顔情報を前記顔登録辞書から読み出し、この顔情報を前記カメラから得られた画像情報と照合する認証処理手段と、この認証処理手段による認証結果が予め設定した認証閾値以上であれば機器使用を許可する許可手段とを備えたことを特徴とする。
【０００８】
また、本発明では、使用対象者により入力される照合情報は、使用対象者が予め任意に設定可能な第１の照合情報と、使用対象者に固有の第２の照合情報とを用いるとよい。
【０００９】
また、本発明のコンピュータ読み取り可能な記憶媒体は、機器の使用対象者が、予め使用を許可されているユーザかを認証する認証システムに用いられるコンピュータ読み取り可能な記憶媒体であって、前記認証システムを構成するコンピュータが、前記機器使用対象者により入力される照合情報に基づき、この照合情報に対応する前記ユーザを特定するユーザ特定辞書を用いて、前記照合情報からユーザを特定し、この特定されたユーザの顔情報を前記使用を許可されているユーザの顔情報が予め登録されている前記顔登録辞書から読み出し、この顔情報を、前記機器使用対象者の顔を撮影するカメラから得られた画像情報と照合し、その認証結果が予め設定した認証閾値以上であれば機器使用を許可するプログラムを記憶している。
【００１０】
これらの発明では、機器使用を許可されているユーザの顔情報が予め登録されている顔登録辞書、機器使用対象者により入力される照合情報に基づき、この照合情報に対応する前記ユーザを特定するユーザ特定辞書を用意しておき、機器使用対象者が照合情報を入力すると、ユーザ特定辞書によりユーザを特定し、このユーザの顔情報を前記顔登録辞書から読み出し、この顔情報を機器使用対象者の顔を撮影するカメラから得られた画像情報と照合して、予め設定した認証閾値以上であれば機器使用を許可している。
【発明の効果】
【００１１】
本発明によれば、まず、機器使用対象者により入力される照合情報によりユーザを特定し、次に、このユーザが本人かを顔情報で照合するという、２段階の認証を行うので、高い認証率で確実にユーザを特定することができ、セキュリティ上の問題を解決することができる。
【発明を実施するための最良の形態】
【００１２】
以下、本発明による認証システムの一実施の形態について図面を用いて説明する。
【００１３】
この実施の形態では、操作対象機器としてパーソナルコンピュータ（以下、パソコン）を例にとって説明する。すなわち、パソコンをログオンする際の使用対象者の認証を行うものとし、認証システムは、操作対象機器であるパソコンにパッケージソフトなどでプログラムされているものとする。
【００１４】
図1において、１１はカメラ、１２は信号処理手段で、機器使用対象者の顔１３を撮影し、コントローラ１４の指令に基づき、画像情報を出力する。カメラ１１としては、ＵＳＢカメラなど、パソコン用として市販されているものを用いればよい。このカメラ１１は、パソコンのディスプレー上部など、ユーザの顔正面画像を撮影可能な位置に取り付ける。コントローラ14は、パソコンの制御部により構成されており、各種情報を入力するためのキーボードなどの入力装置１５が接続されている。
【００１５】
この入力装置１５は、認証システムにおいては、使用対象者により入力される照合情報の入力手段として用いられる。この照合情報としては、使用対象者が予め任意に設定可能な第１の照合情報（例えば、パスワードとする）と、使用対象者に固有の第２の照合情報（例えば、ユーザ名とする）との２つとする。
【００１６】
１６は顔登録辞書、１７はユーザ特定辞書で、これらは認証データとしての顔情報を保持し、且つ特定するためのもので、認証に先立って予め作成しておく。
【００１７】
顔登録辞書１６は、機器に対する使用を許可されているユーザの顔情報を登録するもので、カメラ１１により撮影され、信号処理手段１２から出力される画像情報（顔情報）を、破線で示すように入力し、コントローラ１４の制御に基づき、照合情報入力手段１５から別途入力されるユーザ固有の情報（ここではユーザ名とする）をキーにして登録する。
【００１８】
ユーザ特定辞書１７は、機器使用を許可されているユーザと、使用対象者により入力される照合情報との関係が予め設定されている辞書である。この実施の形態では、照合情報であるパスワードとユーザ名との関係が設定されており、入力された照合情報に対応するユーザを特定するために用いられる。
【００１９】
１８は認証処理手段で、コントローラ１４の制御に基づき、認証時に動作し、カメラ１１で撮影され信号処理手段から出力される操作対象者の顔１３の画像情報と、顔登録辞書１６から読み出されたユーザの顔情報とを照合する照合エンジンである。顔登録辞書１６から読み出される顔情報は、使用対象者が照合情報入力手段１５から入力した照合情報に基づき、ユーザ特定辞書１７で特定されたユーザの顔情報である。
【００２０】
１９は許可手段で、認証処理手段１８による認証結果が、予め設定した認証閾値以上であれば機器使用を許可する。操作機器がパソコンの場合はログオンを実行させる。
【００２１】
次に、図２で示すフローチャートにより、この実施の形態の動作を説明する。図２のフローチャートは、顔登録フローと認証によるログオンフローとに大別されている。
【００２２】
まず、顔登録フローを説明する。この顔登録は、認証に先立って認証用のデータを作成するものであり、機器使用が許可されているユーザを登録する。登録開始されると、登録されるユーザは、図１で示した入力手段１５により照合情報としてユーザ名とパスワードを入力する（ステップ２０１）。
【００２３】
なお、ユーザが複数の場合、ユーザ名が同じ場合もあるので、その場合はドメイン（例えば、ユーザの組織名称など）も入力し、識別可能とする。ただし、内部的な処理データとしては、ユーザ名のみ及びユーザ名とドメインとを組み合わせたものそれぞれに、一意の顔画像ＩＤをつけて管理している。パスワードを入力するのは、セキュリティ上、ユーザ本人ではない他人を誤って登録しないためである。
【００２４】
次に、顔情報を顔登録辞書１６に登録する（ステップ２０２）。すなわち、図１のカメラ１１により撮影した情報をキャプチャし、信号処理手段１２から破線で示したように顔登録辞書１６に、ユーザ名をキーとして登録する。
【００２５】
顔登録が完了すると、その登録されたユーザのユーザ名及びパスワードをユーザ特定辞書１７に保存し（ステップ２０３）、登録を終了する。
【００２６】
次に、顔認証によるログオンフローを説明する。認証開始により、まず、ログオン対象者（機器使用対象者）は、図１で示したキーボードなどの入力手段１５により、照合情報である自己のユーザ名（必要に応じてドメインも）及びパスワードを入力する（ステップ２０４）。このとき、カメラ１１はログオン対象者の顔を撮影している。
【００２７】
入力されたユーザ名およびパスワードが、予め登録されている機器使用を許可されたユーザのものである場合は、ユーザ名から顔画像ＩＤを求め、特定されたユーザの顔情報を顔登録辞書１６から読み出し、カメラ１１で撮影した画像と、認証処理手段１８で照合（１：１照合）する（ステップ２０５）。この照合結果が、予め設定した認証閾値以上（ステップ２０６：Ｙｅｓ）であれば、特定したユーザ名と入力したパスワードを確定し、許可手段１９によりログオンを実行し（ステップ２０７）、認証を終了する。
【００２８】
このように、機器使用対象者が入力するユーザ名やパスワードなどの照合情報により、機器使用が許可されているユーザかを判定し、ユーザの場合は、この特定されたユーザの顔情報を顔登録辞書から読み出して、カメラからの画像と１：１照合してユーザ本人かを認証するので、確実にユーザ本人を認証でき、セキュリティ性が向上する。
【００２９】
また、上述した一連の機能を実現するプログラムをコンピュータ読み取り可能な記憶媒体に記憶させることにより、上記認証システムを任意のコンピュータにより実現することができる。
【００３０】
なお、上記実施の形態では、ユーザ名を都度入力するようにしているが、パソコンなどの場合、ユーザが特定個人のみに設定されている場合があり、その場合はユーザ名を固定し、パスワードのみを入力してユーザを特定するようにしてもよい。
【００３１】
また、機器使用対象者が入力する照合情報として、キーボードから入力されるユーザ名やパスワードを例示したが、これ以外の照合情報であってももちろんかまわない。例えば、本人を証明するＩＣカードからの本人情報や、指紋入力による本人特定情報を用い、これらを顔照合と組み合わせてもよい。
【００３２】
さらに、対象機器として、パソコンを例示したが、本発明はこれに限定されず、セキュリティ上、使用者を限定した各種機器の認証に用いてもかまわない。
【図面の簡単な説明】
【００３３】
【図１】本発明による認証システムの一実施の形態を示すシステム構成図である。
【図２】同上一実施の形態の動作を説明するフローチャートである。
【符号の説明】
【００３４】
１１    カメラ
１３    顔
１５    照合情報入力手段
１６    顔登録辞書
１７    ユーザ特定辞書
１８    認証処理手段
１９    許可手段
【図１】
2005115486.tif 000003
【図２】
2005115486.tif 000004